(57)【特許請求の範囲】
【請求項１】
入力された第１の制御信号に応じて起動し、入力電圧Ｖｂａｔを所定の第１の定電圧に変換して第１の負荷に供給する第１の定電圧回路と、
入力された第２の制御信号に応じて起動し、入力された第３の制御信号に応じて、入力電圧Ｖｂａｔを第２の定電圧又は第２の定電圧よりも小さい第３の定電圧のいずれかに変換して第２の負荷に供給する第２の定電圧回路と、
前記第１及び第２の各制御信号を使用して第１及び第２の各定電圧回路の起動制御をそれぞれ行い、前記第２の定電圧回路に対して、起動時に前記第３の制御信号を使用して前記第３の定電圧を生成させ前記第２の負荷に供給させる、前記第１及び第２の各定電圧回路の動作制御を行う制御回路と、
を備え、
前記制御回路は、起動時に前記第２の定電圧回路を第１の定電圧回路よりも先に起動させ、前記第２の定電圧回路に対して、前記第１の定電圧回路の出力電圧が前記第１の定電圧になるまでは前記第３の定電圧を生成して出力させ、前記第１の定電圧回路の出力電圧が前記第１の定電圧になると、前記第２の定電圧を生成して出力させることを特徴とするシステム電源装置。
【請求項２】
前記制御回路は、起動時から、前記第１の定電圧回路の出力電圧が前記第１の定電圧に到達するまでに要する時間が経過すると、前記第２の定電圧回路に対して、前記第２の定電圧を生成して出力させることを特徴とする請求項１記載のシステム電源装置。
【請求項３】
入力電圧Ｖｂａｔを所定の第１の定電圧に変換して第１の負荷に供給する第１の定電圧回路と、入力電圧Ｖｂａｔを所定の第２の定電圧に変換して第２の負荷に供給する第２の定電圧回路とを備えたシステム電源装置の動作制御方法において、
前記第２の定電圧回路に対して、起動時に前記第２の定電圧よりも小さい第３の定電圧を生成させ前記第２の負荷に供給させ、
起動時に前記第２の定電圧回路を第１の定電圧回路よりも先に起動させ、前記第１の定電圧回路の出力電圧が前記第１の定電圧になるまでは前記第３の定電圧を生成して出力させ、前記第１の定電圧回路の出力電圧が前記第１の定電圧になると、前記第２の定電圧を生成して出力させることを特徴とするシステム電源装置の動作制御方法。
【請求項４】
起動時から、前記第１の定電圧回路の出力電圧が前記第１の定電圧に到達するまでに要する時間が経過すると、前記第２の定電圧回路に対して、前記第２の定電圧を生成して出力させることを特徴とする請求項３記載のシステム電源装置の動作制御方法。
【発明の詳細な説明】
【技術分野】
【０００１】
本発明は、関連する少なくとも２つの定電圧回路を備えたシステム電源装置に関し、特に、システム電源装置の立ち上がり時における各定電圧回路の出力電圧の立ち上がりに関する。
【背景技術】
【０００２】
近年、電子機器の多機能化が進むに連れて、電源に要求される仕様も複雑になってきている。１つの機器に対して複数の電圧を要求されることは一般的となり、しかも電源が立ち上がる際に各電源間の電圧の関係まで規定されるようになってきた。
従来、Ａ／Ｄ変換器を内蔵したマイコン用電源があった（例えば、特許文献１参照。）。この場合、Ａ／Ｄ変換器の基準電源Ｖｒｅｆを生成するために、マイコンの主電源電圧Ｖｄｄとは別に高精度の電源電圧が必要であった。また、マイコンのラッチアップを防止するため、電源オン／オフ時を含め基準電源Ｖｒｅｆが主電源電圧Ｖｄｄよりも大きくならないようにする必要があった。
【０００３】
マイコンの主電源電圧Ｖｄｄを生成する電源回路はＤＣ−ＤＣコンバータで構成され、基準電源Ｖｒｅｆを生成する回路は、図６のようにアナログレギュレータ１０１を用いた回路で構成されている。
通常、ＤＣ−ＤＣコンバータの出力電圧の立ち上がりはアナログレギュレータよりも遅いことから、何の対策もしなければ、電源オン時に主電源電圧Ｖｄｄよりも基準電源Ｖｒｅｆの方が速く立ち上がる。このため、基準電圧Ｖｒｅｆが主電源電圧Ｖｄｄよりも大きくなってしまう。
【０００４】
そこで、図６では、制御回路１０２を追加し、制御回路１０２において、アナログレギュレータ１０１から出力された基準電圧Ｖｒｅｆと接地電圧との間に抵抗Ｒｃと定電流源ｉａを直列に接続し、基準電源Ｖｒｅｆよりも抵抗Ｒｃによる電圧降下分だけ小さい電圧Ｖａと主電源電圧Ｖｄｄとを比較している。演算増幅回路ＡＭＰｂは、電圧Ｖａが主電源電圧Ｖｄｄになるように、トランジスタＴｂのベースに接続されたトランジスタＴｃを制御する。これによって、電源オン時に、基準電圧Ｖｒｅｆが主電源電圧Ｖｄｄの立ち上がりに沿って主電源電圧Ｖｄｄよりも小さい電圧で立ち上がるようにしている。
【特許文献１】特開２００１−１４２５４８号公報
【発明の開示】
【発明が解決しようとする課題】
【０００５】
しかし、電源オン時における主電源電圧Ｖｄｄと基準電圧Ｖｒｅｆにおいて、それぞれの目標電圧に達するまでの順序に加えて、立ち上がり途中の電圧差まで規定された場合は、図６のような回路では対処することができない場合があった。例えば、立ち上がりの速い第１の電源電圧と立ち上がりの遅い第２の電源電圧があり、第１の電源電圧を先に目標電圧に到達させ、しかも第１の電源電圧と第２の電源電圧との電圧差が所定値以上大きくならないようにするという場合である。第２の電源電圧の立ち上がり時間が遅すぎると第１の電源電圧と第２の電源電圧との電圧差が大きくなり仕様を満足することができなくなるという場合があった。
【０００６】
２つの電源回路を共にアナログレギュレータで構成した場合のように、同種の回路で構成した場合は、２つの電源回路からの各出力電圧の立ち上がり速度の関係は分からない。更に、電源回路からの出力電圧の立ち上がり時間は、該電源回路の出力端に接続された負荷やバイパスコンデンサの容量に大きく左右される。このため、電源回路の出力端に接続される負荷やバイパスコンデンサの条件で、２つの電源回路からの各出力電圧の立ち上がり時間が入れ替わってしまうこともあった。
【０００７】
図７〜図９は、第１及び第２の各定電圧回路における各出力電圧ＶｏＡ，ＶｏＢのそれぞれの立ち上がりの関係例を示した図である。
図７〜図９において、ＶｏＡは第１の定電圧回路の出力電圧であり、ＶｏＢは第２の定電圧回路の出力電圧であり、ΔＶは、出力電圧ＶｏＡと出力電圧ＶｏＢとの差電圧（ＶｏＡ−ＶｏＢ）を示し、ＶＡは出力電圧ＶｏＡの目標電圧であり、ＶＢは出力電圧ＶｏＢの目標電圧である。また、ｔＡは出力電圧ＶｏＡが目標電圧ＶＡに到達した時刻、ｔＢは出力電圧ＶｏＢが目標電圧ＶＢに到達した時刻である。
出力電圧ＶｏＡ及びＶｏＢにおける立ち上がりの条件として、ｔＡ＜ｔＢ（以下、条件１と呼ぶ）、ΔＶ＜Ｖｃ（以下、条件２と呼ぶ）の２つの条件が与えられたとする。なお、Ｖｃは定数であり、目標電圧ＶＡよりも小さい任意の電圧値である。
【０００８】
図７では、出力電圧ＶｏＡとＶｏＢの各立ち上がり時間がほぼ同じ場合を示している。条件１を満足させるため、第１の定電圧回路のスリープ状態をＡ点で解除し、少し遅れて第２の定電圧回路のスリープ状態をＢ点で解除する。すると、出力電圧ＶｏＡとＶｏＢはほぼ平行に立ち上がり、電圧差ΔＶは２点鎖線の矢印で示したＶｃよりも小さく、しかもｔＡ＜ｔＢを満足している。
しかし、同じタイミングで第１及び第２の各定電圧回路のスリープ状態を解除しても、図８で示すように第２の定電圧回路の出力電圧ＶｏＢの立ち上がりが遅くなってしまった場合は、該立ち上がり途中でΔＶ＞Ｖｃになってしまい、前記条件２を満足させることができなかった。
更に、図９で示すように、出力電圧ＶｏＢの立ち上がりが速くなるか、出力電圧ＶｏＡの立ち上がりが遅くなるか、又は出力電圧ＶｏＢの立ち上がりが速くなると共に出力電圧ＶｏＡの立ち上がりが遅くなる場合は、前記条件２を満足させることができても、前記条件１を満足させることができなかった。
【０００９】
本発明は、上記のような問題を解決するためになされたものであり、２つの定電圧回路が目標電圧に達する順序と立ち上がり時における各出力電圧の電圧差の両仕様を確実に満たすことができるシステム電源装置及びその動作制御方法を得ることを目的とする。
【課題を解決するための手段】
【００１０】
この発明に係るシステム電源装置は、入力された第１の制御信号に応じて起動し、入力電圧Ｖｂａｔを所定の第１の定電圧に変換して第１の負荷に供給する第１の定電圧回路と、
入力された第２の制御信号に応じて起動し、入力された第３の制御信号に応じて、入力電圧Ｖｂａｔを第２の定電圧又は第２の定電圧よりも小さい第３の定電圧のいずれかに変換して第２の負荷に供給する第２の定電圧回路と、
前記第１及び第２の各制御信号を使用して第１及び第２の各定電圧回路の起動制御をそれぞれ行い、前記第２の定電圧回路に対して、起動時に前記第３の制御信号を使用して前記第３の定電圧を生成させ前記第２の負荷に供給させる、前記第１及び第２の各定電圧回路の動作制御を行う制御回路と、
を備え、
前記制御回路は、起動時に前記第２の定電圧回路を第１の定電圧回路よりも先に起動させ、前記第２の定電圧回路に対して、前記第１の定電圧回路の出力電圧が前記第１の定電圧になるまでは前記第３の定電圧を生成して出力させ、前記第１の定電圧回路の出力電圧が前記第１の定電圧になると、前記第２の定電圧を生成して出力させるものである。
【００１３】
具体的には、前記制御回路は、起動時から、前記第１の定電圧回路の出力電圧が前記第１の定電圧に到達するまでに要する時間が経過すると、前記第２の定電圧回路に対して、前記第２の定電圧を生成して出力させるようにした。
【００１４】
この発明に係るシステム電源装置の動作制御方法は、入力電圧Ｖｂａｔを所定の第１の定電圧に変換して第１の負荷に供給する第１の定電圧回路と、入力電圧Ｖｂａｔを所定の第２の定電圧に変換して第２の負荷に供給する第２の定電圧回路とを備えたシステム電源装置の動作制御方法において、
前記第２の定電圧回路に対して、起動時に前記第２の定電圧よりも小さい第３の定電圧を生成させ前記第２の負荷に供給させ、
起動時に前記第２の定電圧回路を第１の定電圧回路よりも先に起動させ、前記第１の定電圧回路の出力電圧が前記第１の定電圧になるまでは前記第３の定電圧を生成して出力させ、前記第１の定電圧回路の出力電圧が前記第１の定電圧になると、前記第２の定電圧を生成して出力させるようにした。
【００１７】
具体的には、起動時から、前記第１の定電圧回路の出力電圧が前記第１の定電圧に到達するまでに要する時間が経過すると、前記第２の定電圧回路に対して、前記第２の定電圧を生成して出力させるようにした。
【発明の効果】
【００１８】
本発明のシステム電源装置及びその動作制御方法によれば、前記第１及び第２の各制御信号を使用して第１及び第２の各定電圧回路の起動制御をそれぞれ行い、前記第２の定電圧回路に対して、起動時に前記第３の制御信号を使用して前記第３の定電圧を生成させ前記第２の負荷に供給させるようにしたことから、２つの定電圧回路が目標電圧に達する順序と立ち上がり時における各出力電圧の電圧差の両仕様を確実に満たすように設定することができる。
また、第１の定電圧回路の出力電圧が目標電圧に到達したか否かの判定は、起動時から、前記第１の定電圧回路の出力電圧が前記第１の定電圧に到達するまでに要する時間管理を行うことで実現したことから、電圧検出回路等が不要になり簡単な回路構成で安価に実現することができる。
【発明を実施するための最良の形態】
【００１９】
次に、図面に示す実施の形態に基づいて、本発明を詳細に説明する。
第１の実施の形態．
図１は、本発明の第１の実施の形態におけるシステム電源装置の構成例を示した図である。
図１において、システム電源装置１は、シリーズレギュレータをなす第１の定電圧回路２と、シリーズレギュレータをなす第２の定電圧回路３と、第１及び第２の各定電圧回路２，３の動作制御を行う制御回路４とで構成されている。第１の定電圧回路２は、入力電圧Ｖｂａｔを所定の定電圧Ｖ１に変換して出力電圧Ｖｏ１として出力端子ＯＵＴ１から負荷１０に出力する。同様に、第２の定電圧回路３は、入力電圧Ｖｂａｔを所定の定電圧Ｖ２又はＶ３に変換して出力電圧Ｖｏ２として出力端子ＯＵＴ２から負荷１１に出力する。出力端子ＯＵＴ１と接地電圧との間にはコンデンサＣ１が、出力端子ＯＵＴ２と接地電圧との間にはコンデンサＣ２がそれぞれ接続されている。
【００２０】
第１の定電圧回路２は、所定の基準電圧Ｖｒ１を生成して出力する第１の基準電圧発生回路２１と、誤差増幅回路Ａ２１と、ＰＭＯＳトランジスタからなる出力トランジスタＭ２１と、出力電圧検出用の抵抗Ｒ２１，Ｒ２２とで構成されている。また、第２の定電圧回路３は、所定の基準電圧Ｖｒ２を生成して出力する第２の基準電圧発生回路３１と、誤差増幅回路Ａ３１と、ＰＭＯＳトランジスタからなる出力トランジスタＭ３１と、出力電圧検出用の抵抗Ｒ３１〜Ｒ３３と、スイッチＳＷとで構成されている。
【００２１】
第１の定電圧回路２において、入力電圧Ｖｂａｔと出力端子ＯＵＴ１との間には出力トランジスタＭ２１が接続されている。出力端子ＯＵＴ１と接地電圧との間には抵抗Ｒ２１及びＲ２２が直列に接続されている。出力電圧Ｖｏ１を抵抗Ｒ２１とＲ２２で分圧した分圧電圧Ｖｆｂ１は誤差増幅回路Ａ２１の非反転入力端に入力され、誤差増幅回路Ａ２１の反転入力端には基準電圧Ｖｒ１が入力されている。誤差増幅回路Ａ２１の出力端は出力トランジスタＭ２１のゲートに接続され、誤差増幅回路Ａ２１は、分圧電圧Ｖｆｂ１が基準電圧Ｖｒ１になるように出力トランジスタＭ２１の動作制御を行う。誤差増幅回路Ａ２１は、制御回路４からのスリープ信号ＳＬＰ１が入力されており、スリープ信号ＳＬＰ１がスリープ動作を行うことを示している場合は動作を停止して出力トランジスタＭ２１オフさせ、スリープ信号ＳＬＰ１がスリープ動作を行わないことを示している場合は作動する。また、出力端子ＯＵＴ１と接地電圧との間には、コンデンサＣ１が接続されると共に負荷１０が接続されている。
【００２２】
第２の定電圧回路３において、入力電圧Ｖｂａｔと出力端子ＯＵＴ２との間には出力トランジスタＭ３１が接続されている。出力端子ＯＵＴ２と接地電圧との間には抵抗Ｒ３１、Ｒ３２及びＲ３３が直列に接続され、抵抗Ｒ３３に並列にスイッチＳＷが接続されている。抵抗Ｒ３１とＲ３２との接続部の電圧である分圧電圧Ｖｆｂ２は、誤差増幅回路Ａ３１の非反転入力端に入力され、誤差増幅回路Ａ３１の反転入力端には基準電圧Ｖｒ２が入力されている。誤差増幅回路Ａ３１の出力端は出力トランジスタＭ３１のゲートに接続され、誤差増幅回路Ａ３１は、分圧電圧Ｖｆｂ２が基準電圧Ｖｒ２になるように出力トランジスタＭ３１の動作制御を行う。誤差増幅回路Ａ３１は、制御回路４からのスリープ信号ＳＬＰ２が入力されており、スリープ信号ＳＬＰ２がスリープ動作を行うことを示している場合は動作を停止して出力トランジスタＭ３１オフさせ、スリープ信号ＳＬＰ２がスリープ動作を行わないことを示している場合は作動する。スイッチＳＷは、制御回路４からのスイッチ制御信号ＳＷＣによってスイッチング制御される。また、出力端子ＯＵＴ２と接地電圧との間には、コンデンサＣ２が接続されると共に負荷１１が接続されている。
【００２３】
このような構成において、第２の定電圧回路３の出力電圧Ｖｏ２は、スイッチＳＷのオン／オフの状態に応じて電圧が変わる。
スイッチＳＷがオンして導通状態になったときの出力電圧Ｖｏ２の設定電圧Ｖ２は、下記（１）式のようになる。
Ｖ２＝Ｖｒ２×（ｒ３１＋ｒ３２）／ｒ３２………………（１）
なお、ｒ３１及びｒ３２は抵抗Ｒ３１及びＲ３２の抵抗値をそれぞれ示している。
次に、スイッチＳＷがオフして遮断状態になったときの出力電圧Ｖｏ２の設定電圧Ｖ３は、下記（２）式のようになる。
Ｖ３＝Ｖｒ２×（ｒ３１＋ｒ３２＋ｒ３３）／（ｒ３２＋ｒ３３）………………（２）
なお、ｒ３３は抵抗Ｒ３３の抵抗値を示している。
前記（１）及び（２）式から分かるように、設定電圧Ｖ３は設定電圧Ｖ２よりも小さい電圧になる。
【００２４】
ここで、図２〜図５は、第１及び第２の各定電圧回路２，３における各出力電圧Ｖｏ１，Ｖｏ２のそれぞれの立ち上がりの関係例を示した図である。
図２〜図５において、ΔＶは、出力電圧Ｖｏ１と出力電圧Ｖｏ２との差電圧（Ｖｏ１−Ｖｏ２）を示し、ｔ１は出力電圧Ｖｏ１が設定電圧Ｖ１に到達した時刻、ｔ２は出力電圧Ｖｏ２が設定電圧Ｖ２に到達した時刻を示している。
第１及び第２の各定電圧回路２，３の立ち上がりの条件として、ｔ１＜ｔ２（以下、条件１と呼ぶ）、ΔＶ＜Ｖｃ（以下、条件２と呼ぶ）の２つの条件が与えられたとする。なお、Ｖｃは、定数であり設定電圧Ｖ１よりも小さい任意の電圧値である。
【００２５】
図２は、第１及び第２の各定電圧回路２，３における出力電圧Ｖｏ１，Ｖｏ２のそれぞれの立ち上がり時間がほぼ等しい場合を示している。
図２において、最初に、制御回路４はスイッチ制御信号ＳＷＣによってスイッチＳＷをオフさせ、次に、スリープ信号ＳＬＰ１及びＳＰＬ２を用いて第１及び第２の各定電圧回路２，３の各スリープ状態をほぼ同時に解除する（なお、図ではＳＬＰ１，ＳＬＰ２解除と示している。）。第１及び第２の各定電圧回路２，３の出力電圧Ｖｏ１及びＶｏ２はほぼ同電圧で立ち上がるが、出力電圧Ｖｏ２は設定電圧Ｖ３まで上昇して一定になる。制御回路４は、出力電圧Ｖｏ１が設定電圧Ｖ１に到達したと判断すると、スイッチ制御信号ＳＷＣを用いてスイッチＳＷをオフからオンに切り換える。すると、出力電圧Ｖｏ２は再び上昇し、設定電圧Ｖ２まで上昇して一定になる。図２から分かるように、設定電圧Ｖ１とＶ３との差電圧が定数Ｖｃより小さく（Ｖｃ＞Ｖ１−Ｖ３）なるようにすることで、前記条件１及び２を確実にクリアすることができる。
【００２６】
次に、図３は、第１の定電圧回路２の立ち上がり時間が第２の定電圧回路３の立ち上がり時間より遅い場合を示している。図３の場合においても、制御回路４は図２の場合と同じ制御を行うことで、前記条件１及び２を確実にクリアすることができる。
図４は、第２の定電圧回路３の立ち上がり時間が第１の定電圧回路２の立ち上がり時間より遅い場合を示している。図４の場合においても、制御回路４は、図２の場合と同じ制御を行うことで、前記条件１及び２を確実にクリアすることができる。
【００２７】
しかし、第２の定電圧回路３の立ち上がり時間が余りにも遅い場合は、ΔＶが定数Ｖｃよりも大きくなる可能性がある。
このため、第２の定電圧回路３の立ち上がり時間が、第１の定電圧回路２の立ち上がり時間より遅いと分かっている場合は、図５のように第２の定電圧回路３の作動開始を第１の定電圧回路２の作動開始よりも少し早くする、すなわち第２の定電圧回路３のスリープ状態の解除（図５ではＳＬＰ２解除と示す。）を第１の定電圧回路２のスリープ状態の解除（図５ではＳＬＰ１解除と示す。）よりも少し早くことで、前記条件１及び２をより確実にクリアすることができる。
【００２８】
なお、図５のように第２の定電圧回路３の作動開始を第１の定電圧回路２の作動開始よりも少し早くすることは、図２や図３の場合にも適用することができる。
第１の定電圧回路２が目標電圧である設定電圧Ｖ１に達したかどうかは、第１の定電圧回路２の出力電圧Ｖｏ１を測定することでも調べることは可能であるが、本発明では、様々な負荷条件において第１の定電圧回路２の立ち上がり時間を調査し、その調査結果に基づいた最長時間よりもやや長い時間を経過した時点で、第２の定電圧回路３の電圧設定を設定電圧Ｖ３から設定電圧Ｖ２に変更するようにしているため、特別な回路を付加することなく実現している。
【００２９】
このように、本第１の実施の形態におけるシステム電源装置は、関連する２つの第１及び第２の各定電圧回路２，３を立ち上げる際に、出力電圧が設定電圧に到達するまでの時間と、その間の各出力電圧の電圧差が規定されている場合は、後から設定電圧に到達する方の定電圧回路、例えば第２の定電圧回路３の出力電圧Ｖｏ２を設定電圧Ｖ２よりも小さい設定電圧Ｖ３で一定にし、第１の定電圧回路２の出力電圧Ｖｏ１が設定電圧Ｖ１に達してから、設定電圧をＶ３からＶ２に切り換えるようにしたことから、２つの定電圧回路が目標電圧に達する順序と立ち上がり時における各出力電圧の電圧差の両仕様を確実に満たすことができる。
【図面の簡単な説明】
【００３０】
【図１】本発明の第１の実施の形態におけるシステム電源装置の構成例を示した図である。
【図２】出力電圧Ｖｏ１，Ｖｏ２におけるそれぞれの立ち上がりの関係例を示した図である。
【図３】出力電圧Ｖｏ１，Ｖｏ２におけるそれぞれの立ち上がりの関係例を示した図である。
【図４】出力電圧Ｖｏ１，Ｖｏ２におけるそれぞれの立ち上がりの関係例を示した図である。
【図５】出力電圧Ｖｏ１，Ｖｏ２におけるそれぞれの立ち上がりの関係例を示した図である。
【図６】従来の電源回路の例を示した回路図である。
【図７】従来の第１及び第２の各定電圧回路の各出力電圧ＶｏＡ，ＶｏＢにおける立ち上がりの関係例を示した図である。
【図８】従来の第１及び第２の各定電圧回路の各出力電圧ＶｏＡ，ＶｏＢにおける立ち上がりの関係例を示した図である。
【図９】従来の第１及び第２の各定電圧回路の各出力電圧ＶｏＡ，ＶｏＢにおける立ち上がりの関係例を示した図である。
【符号の説明】
【００３１】
１  システム電源装置
２  第１の定電圧回路
３  第２の定電圧回路
４  制御回路
１０，１１  負荷
２１，３１  基準電圧発生回路
Ａ２１，Ａ３１  誤差増幅回路
Ｍ２１，Ｍ３１  出力トランジスタ
Ｒ２１，Ｒ２２，Ｒ３１，Ｒ３２，Ｒ３３  抵抗
ＳＷ  スイッチ
Ｃ１，Ｃ２  コンデンサ
【図１】
0004745734.tif 000002
【図２】
0004745734.tif 000003
【図３】
0004745734.tif 000004
【図４】
0004745734.tif 000005
【図５】
0004745734.tif 000006
【図６】
0004745734.tif 000007
【図７】
0004745734.tif 000008
【図８】
0004745734.tif 000009
【図９】
0004745734.tif 000010